(57)【特許請求の範囲】
【請求項１】
第１嫌気処理部および第２嫌気処理部および消毒室を備えた単独処理浄化槽と、接触曝気槽および沈殿槽を備えた合併処理化装置と、前記単独処理浄化槽の消毒室の直前と前記合併処理化装置の流入口とを接続し、前記合併処理化装置の流出口と前記単独処理浄化槽の消毒室を接続し、前記単独処理浄化槽の流入口に排水を流入させるための配管を設け、浴槽排水配管を合併処理化装置の流入口の直前または前記単独処理浄化槽の消毒室に接続し、浴槽排水配管は、その途中に流量調整弁を備えたことを特徴とする合併処理浄化槽。
【請求項２】
請求項１において、前記合併処理化装置は、流入する処理水を貯留する流量調整槽を備えたことを特徴とする合併処理浄化槽。
【発明の詳細な説明】
【０００１】
【発明の属する技術分野】
本発明は、合併処理浄化槽に関する。
【０００２】
【従来の技術】
屎尿の浄化処理を行う分離接触曝気方式の単独処理浄化槽は、図８に示すように、屎尿は、単独処理浄化槽１の流入口２から沈殿分離室３へ流入させて固液分離および嫌気処理を行って接触曝気室４へ移流する。接触曝気室４内では、移流した処理水を散気管７から散気する空気の泡により撹拌して接触材８に接触させ、栄養基質の酸化除去を徐々に行う。接触材８は、撹拌を継続することにより生物膜が厚く堆積して閉塞するので、定期的に逆洗管９より空気泡を吐出することにより生物膜を剥離する。接触曝気室４を通過した処理水は沈殿室５へ移流し、沈殿室５にて固形分の沈殿分離を行い、上澄み液を消毒室６へ移流させて滅菌処理して流出口１０から系外へ放流する。なお、１１は、消毒剤を収容して消毒室６に設置した消毒剤容器である。
【０００３】
【発明が解決しようとする課題】
しかしながら、単独処理浄化槽は、処理すべき汚水の種類が屎尿に限定され、台所排水，洗濯排水，洗面排水および浴槽排水等の生活雑排水を処理することができない。このような問題は、既設の単独処理浄化槽を撤去して新たに合併処理浄化槽を設置することで解決することができるが、施工費用が高額となるばかりでなく、多くの単独処理浄化槽がＦＲＰ製であることから、不要となった単独処理浄化槽の処分に関しても新たな問題が発生する。また、単独処理浄化槽を掘り起こすことなく埋め殺す場合には、処分に関する問題が発生しないものの、土地の有効活用ができないという別の問題を発生させる。
【０００４】
本発明は、このような課題に鑑みてなされたものであり、既設の単独処理浄化槽を有効利用することで、合併処理浄化槽を構成するときに単独処理浄化槽の処分問題を解決すると共に、新たに合併処理浄化槽を購入するよりも安価に構成することができる合併処理浄化槽を提供することを目的とする。
【０００５】
【課題を解決するための手段】
本発明は、嫌気処理部および好気処理部および消毒室を備え、前記好気処理部の空気供給を停止して嫌気処理部とした単独処理浄化槽と、接触曝気槽および沈殿槽を備えた合併処理化装置と、前記単独処理浄化槽の消毒室の直前と前記合併処理化装置の流入口とを接続し、前記合併処理化装置の流出口と前記単独処理浄化槽の消毒室を接続し、前記単独処理浄化槽の流入口に排水を流入させるための配管を設け、浴槽排水配管を合併処理化装置の流入口の直前または前記単独処理浄化槽の消毒室に接続し、浴槽排水配管は、その途中に流量調整弁を備えたことを特徴とする。
【０００８】
またふ、前記合併処理化装置は、流入する処理水を貯留する流量調整槽を備えたことを特徴とする。
【０００９】
【発明の実施の形態】
本発明における単独処理浄化槽は、第１嫌気処理部および第２嫌気処理部および消毒室を備え、既設または既存の単独処理浄化槽における沈殿分離室と空気供給を停止した接触曝気室および消毒室を利用して構成する。具体的には、従来の技術で説明したように、流入口および流出口を備え、内部に上流側から沈殿分離室，接触曝気室，沈殿室，消毒室を備えた単独処理浄化槽を好適に利用することができる。
【００１０】
第１嫌気処理部は、従来の技術で説明した単独処理浄化槽の沈殿分離室のように濾材等が充填されていない場合には、既設の単独処理浄化槽の沈殿分離室に嫌気濾材を充填して構成することが好ましい。更に好ましくは、嫌気濾材は不規則充填のものが良い。これは、空気で強制的に攪拌しない嫌気処理法は、不規則充填の方が処理水が拡散し易く、室内をより広く有効に使用することができるからである。
【００１１】
次に、第２の嫌気処理部は、接触曝気室の空気供給を停止して使用する。接触曝気室に設置していた散気管は取り外しても良く、また、接触曝気室に好気濾材（接触材）が設置してあった場合は取り外しても良いが、好ましくはそのまま嫌気濾材として使用する。更に好ましくは、不規則充填の嫌気濾材と入れ替える。これは、多くの場合、好気濾材は規則充填されており、空気で強制的に攪拌しない嫌気処理法は不規則充填の方が、処理水が拡散し易く室内をより広く有効に使うことができるからである。
【００１２】
合併処理化装置は、少なくとも好気処理を行うための接触曝気槽および沈殿槽を備えていればそれ以外の制約はなく、好ましくは、接触曝気槽は、好気濾材（接触材）を有し、底部には散気管および逆洗管を配置する。
【００１３】
接触曝気槽は、前記単独処理浄化槽より移流してくる処理水を底部に配置した散気管から吐出する空気泡により撹拌して好気処理を行う部分である。処理水は、撹拌されることにより接触曝気室内に設けた接触材に生成した生物膜に接触し、好気性微生物により有機物の分解およびアンモニアの硝化が行われる。撹拌を継続すると、接触材の表面に生成した生物膜が厚く堆積し閉塞してしまうので、接触材の下部に設けた逆洗管より吐出する空気泡により定期的に生物膜の剥離を行う。剥離した生物膜は、単独処理浄化槽の嫌気処理部へ返送する。
【００１４】
単独処理浄化槽と合併処理化装置との配管接続は、前記単独処理浄化槽の消毒室の直前と前記合併処理化装置の流入口とを接続し、また前記合併処理化装置の流出口と前記単独処理浄化槽の消毒室を接続することにより行う。前記単独処理浄化槽の流入口には、浴槽排水以外の屎尿，台所排水および洗濯排水等を流入させる配管を設ける。これは、浴槽排水が他の生活雑排水と比較して汚れが少なく、量が多いために、単独処理浄化槽および合併処理化装置を通過させることなく、直接系外へ放流しても良いからである。更に好ましくは、浴槽排水用の浴槽排水配管を別に設け、浴槽排水のみは合併処理化装置に直接流入させて処理するか、または単独処理浄化槽の消毒室を通過させて消毒滅菌してから系外へ放流するようにしても良い。
【００１５】
浴槽排水配管には、流量調整弁を設けることが好ましく、この流量調整弁により浴槽排水を合併処理化装置に流入させる際に流入量変動を小さくして接触曝気槽の好気処理を効率良く行ったり、合併処理化装置の消毒槽を通過する処理水の流入量変動を小さくし、消毒槽に流入した処理水の消毒滅菌を効率良く行うために使用する。
【００１６】
また、合併処理化装置には、その合併処理化装置と一体化させた流量調整槽または合併処理化装置と配管接続される別体の流量調整槽を設けることが好ましい。この流量調整槽は、接触曝気処理を行う槽への処理水の流入量変動を小さくし、好気処理を効率良く行うために使用する。
【００１７】
ところで、洗濯排水は浴槽排水よりも汚れの量が多いものの、台所排水に比べて少ない。そこで、洗濯排水も前記浴槽排水用の浴槽排水配管に流入させて浴槽排水と同様に既設の単独処理浄化槽を通さず、合併処理化装置に流入させて処理させることが好ましく、または、消毒滅菌して放流することが好ましい。但し、洗濯排水を浴槽排水配管に流入させる場合には、前記流量調整弁は、洗濯排水が浴槽排水配管に流入する位置より上流側に設置し、洗濯排水が流量調整弁を通過しないようにすることが好ましい。これは、洗濯排水は流量調整の必要があるほどの水量の変動が少なく、素早い排水を行い、洗濯，すすぎ，脱水などの複数工程を有する洗濯の時間を少しでも短くするためである。
【００１８】
第１の実施の形態
図１は、本発明の第１の実施の形態の合併処理浄化槽であり、（ａ）は平面と配管を示す図、（ｂ）は縦断側面と配管を示す図である。
【００１９】
単独処理浄化槽１は、上流側から、第１流入口２，第１嫌気処理室１２，第２嫌気室１３，沈殿室５，消毒室６，第１流出口１０を備える。この単独処理浄化槽１は、合併処理可能な合併処理浄化槽の一部に利用するために、既設の単独処理浄化槽における接触曝気室に設けられている散気部材からの空気供給を停止しとて第２嫌気処理室１３に改造したものである。
【００２０】
合併処理化装置２０は、その内部に、接触曝気槽２１と沈殿槽２２を備える。接触曝気槽２１は、接触材２３を内蔵し、その下部には、散気部材２４，２５を備える。散気部材２４は、好気処理を行うために使用するものであり、常に空気泡の吐出を行い、散気部材２５は、生物膜の剥離を行うときに使用するもので、１日１回の空気吐出を１〜３０分間程度行う。
【００２１】
単独処理浄化槽１と合併処理化装置２０との配管接続は、単独処理浄化槽１の沈殿室５から移流管２６を経由して合併処理化装置２０の第２流入口２７に流入させるように接続される。また、合併処理化装置２０の第２流出口２８は、移流管２９を介して前記単独処理浄化槽１の消毒室６に接続する。そして、合併処理化装置２０の接触曝気槽２１の底部に開口する洗浄排水引き抜き管３０は、移送ポンプ３１と洗浄排水移送管３２を介して単独処理浄化槽１の第１嫌気処理室１２に接続する。
【００２２】
ここで、汚水（処理水）の流れについて説明する。家庭から排出される屎尿，台所排水，洗面排水（以下、まとめて排水ａと言う）および洗濯排水は、単独処理浄化槽１の第１流入口２から第１嫌気処理室１２へ流入させて固液分離および嫌気処理を行い、空気供給を停止した第２嫌気処理室１３にて再度の固液分離および嫌気処理を行う。そして、第２嫌気処理室１３を通過した処理水は、沈殿室５内で固形分を沈殿分離した後に移流管２６に流入する。
【００２３】
移流管２６に流入した処理水は、第２流入口２７から合併処理化装置２０の接触曝気槽２１に流入する。この接触曝気槽２１では、散気部材２４から吐出する空気泡によって処理水を好気処理し、固形物質の除去を行い、沈殿槽２２へ移流する。沈殿槽２２に移流した処理水は、固形分を沈殿分離した後に第２流出口２８から移流管２９を通って単独処理浄化槽１の消毒室６に流入し、ここで滅菌処理して第１流出口１０から系外に放流する。
【００２４】
合併処理化装置２０の接触曝気槽２１は、曝気処理を継続すると接触材２３に生物膜が厚く堆積して閉塞するので、定期的に散気部材２５から空気泡を吐出させて接触材２３の担体を攪拌することにより該接触材２３から生物膜を剥離させる。そして、剥離した生物膜は、移送ポンプ３１を稼働させることで、洗浄排水引き抜き管３０によって引き抜いて洗浄排水移送管３２によって第１嫌気処理室１２へ返送する。
【００２５】
このような合併処理浄化槽によれば、既設の単独処理浄化槽１を有効活用して合併処理浄化槽を構成することができる。
【００２６】
第２の実施の形態
図２は、本発明の第２の実施の形態における合併処理浄化槽の平面および配管を示す図である。この実施の形態は、図１に示した第１の実施の形態における合併処理浄化槽における移流管２６の途中に浴槽排水配管３３を接続した構成である。その他の構成は、第１の実施の形態と同様であるので、同一符号を付して重複する説明を省略する。
【００２７】
この合併処理浄化槽は、排水ａおよび洗濯排水の外に多量の浴槽排水を浄化処理することができるように構成したものである。
【００２８】
浴槽排水は、汚れが比較的少ない多量の排水量となる特徴がある。この多量の浴槽排水を単独処理浄化槽１の嫌気処理室１２，１３に流し込むと排水ａの嫌気処理が不十分になる恐れがある。しかし、この実施の形態においては、汚れが少ない浴槽排水は、単独処理浄化槽１を通過させずに、移流管２６から合併処理化装置２０へ流入させるようにしたので、単独処理浄化槽１における処理を阻害せずに合併処理することができる。
【００２９】
第３の実施の形態
図３は、本発明の第３の実施の形態における合併処理浄化槽の平面および配管を示す図である。この実施の形態は、図２に示した第２の実施の形態の合併処理浄化槽における浴槽排水配管３３の途中に洗濯排水配管３４を接続した構成である。その他の構成は、第２の実施の形態と同様であるので、同一符号を付して重複する説明を省略する。
【００３０】
この合併処理浄化槽によれば、洗濯排水を排水ａとは別の排水配管に流して処理することができる。
【００３１】
第４の実施の形態
図４は、本発明の第４の実施の形態における合併処理浄化槽の平面および配管を示す図である。この実施の形態は、図２に示した第２の実施の形態における合併処理浄化槽における浴槽排水配管３３の途中に流量調整弁３５を接続した構成である。その他の構成は、第２の実施の形態と同様であるので、同一符号を付して重複する説明を省略する。
【００３２】
浴槽排水は、数分間に約２００〜３００リットルの多量の排水を発生させる。そのために、接触曝気槽２１の容量を十分な大きに確保されていない場合には、処理が不十分な処理水をそのまま放流することになりかねない。
【００３３】
そこで、この実施の形態の合併処理浄化槽は、浴槽排水量を接触曝気槽２１の容量に見合った量になるように流量調整弁３５によって制限することにより、接触曝気槽２１において安定した浄化処理を行うことができるようにしている。
【００３４】
第５の実施の形態
図５は、本発明の第５の実施の形態における合併処理浄化槽の平面および配管を示す図である。この実施の形態は、図３に示した第３の実施の形態における合併処理浄化槽における浴槽排水配管３３の途中に流量調整弁３５を接続した構成である。その他の構成は、第３の実施の形態と同様であるので、同一符号を付して重複する説明を省略する。
【００３５】
この実施の形態において、流量調整弁３５は、浴槽排水配管３３における洗濯排水配管３４の接続合流位置よりも上流に設け、洗濯排水が流量調整弁３５により制限されないようにしている。
【００３６】
洗濯排水は、電気洗濯機（図示省略）の機能や排水配管系の関係から制限することなく取り込んで浄化処理することができるようにすることが好ましい。この観点で、この実施の形態の合併処理浄化槽は好適である。
【００３７】
第６の実施の形態
図６は、本発明の第６の実施の形態における合併処理浄化槽の平面および配管を示す図である。この実施の形態は、図２に示した第２の実施の形態または図３に示した第３の実施の形態の合併処理浄化槽における合併処理化装置２０に流量調整槽３６を設け、この流量調整槽３６に貯留した処理水をポンプ３７によって接触曝気槽２１の処理能力に応じた流量で該接触曝気槽２１に移流するようにした構成である。その他の構成は、第２および第３の実施の形態と同様であるので、同一符号を付して重複する説明を省略する。
【００３８】
この合併処理浄化槽によれば、排水ａおよび洗濯排水あるいは浴槽排水を流量を制限することなく安定して浄化処理ることができる。
【００３９】
第７の実施の形態
図７は、本発明の第７の実施の形態における合併処理浄化槽の平面および配管を示す図である。この実施の形態は、図６に示した第６の実施の形態の合併処理浄化槽の合併処理化装置２０における流量調整槽３６を別体に形成して設置し、移流管２６から移流する処理水を第３流入口３８から流量調整槽３６に流入させて貯留し、処理水をポンプ３７によって移流管３９を介して第２流入口２７から接触曝気槽２１に移流するようにした構成である。その他の構成は、第６の実施の形態と同様であるので、同一符号を付して重複する説明を省略する。
【００４０】
この実施の形態では、流量調整槽３６を地中に埋設し、合併処理化装置２０は地上設置することが可能となり、施工費用を低減することができる。
【００４１】
その他の実施の形態
このような合併処理浄化槽は、浄化槽を新設するときには、新しい単独処理浄化槽を単独で新設し、またはこの新しい既存の単独処理浄化槽と合併処理化装置を組み合わせて使用することにより合併処理浄化槽を構成して新設することができるので、単独処理浄化槽と合併処理浄化槽の生産効率を高めることができる。
【００４２】
【発明の効果】
本発明は、既設の単独処理浄化槽を利用して合併処理浄化槽を構成するようにしたので、単独処理浄化槽を処分して新たに合併処理浄化槽を設置するよりも安価に合併処理浄化槽を実現することが可能となり、しかも既設の単独処理浄化槽を処分する必要もなくなる。
【００４３】
また、単独処理浄化槽の消毒室を利用することにより、単独処理浄化槽から系外へ放出する既設の配管をそのまま利用することができ、合併化処理装置にも消毒槽を設ける必要がなく合併化処理装置をコンパクトにすることができる。
【００４４】
更に、単独処理浄化槽の好気処理部を嫌気処理部に改造することにより、汚泥貯留能力が向上し、屎尿以外の流入水が増えても汚泥引き抜き頻度の増加を抑制することができる。
【００４５】
また、浴槽排水配管を別配管にすることにより、他の生活雑排水に比較して量が多いために浄化処理を不安定にする恐れがある浴槽排水を直接または合併処理化装置による処理のみまたは消毒滅菌のみを行って系外に放出するようにすることができ、浄化処理を安定に行なうことができる。更に、浴槽排水が単独処理浄化槽を通過せずに直接合併処理化装置に流入あるいは直接放出あるいは消毒滅菌のみを行って系外に放出するようにすれば、単独処理浄化槽の汚泥の流出を防ぐことができると共に、好気処理を効率的に行うことができるので、接触曝気気槽の容量をコンパクトにすることができ、システム全体を小型化することが可能となる。
【００４６】
また、浴槽排水配管に流量調整弁を設けたので、合併処理化装置の接触曝気槽あるいは消毒槽を大きくする必要がなく、排水を効率良く好気処理あるいは消毒滅菌することができる。更に、合併処理化装置に流量調整槽を設けた場合には、安定した浄化処理を行うことができ、特に合併処理化装置と流量調整槽とを配管接続するようにすれば、合併処理化装置を地上設置することで施工費用を低く抑えることが可能となる。
【００４７】
また、本発明は、新しい単独処理浄化槽と合併処理化装置を使用して合併処理浄化槽を新設することもできるので、単独処理浄化槽と合併処理浄化槽の生産効率を高めることができる。
【図面の簡単な説明】
【図１】本発明の第１の実施の形態の合併処理浄化槽であり、（ａ）は平面と配管を示す図、（ｂ）は縦断側面と配管を示す図である。
【図２】本発明の第２の実施の形態における合併処理浄化槽の平面および配管を示す図である。
【図３】本発明の第３の実施の形態における合併処理浄化槽の平面および配管を示す図である。
【図４】本発明の第４の実施の形態における合併処理浄化槽の平面および配管を示す図である。
【図５】本発明の第５の実施の形態における合併処理浄化槽の平面および配管を示す図である。
【図６】本発明の第６の実施の形態における合併処理浄化槽の平面および配管を示す図である。
【図７】本発明の第７の実施の形態における合併処理浄化槽の平面および配管を示す図である。
【図８】分離接触曝気方式の単独処理浄化槽を示す縦断側面図である。
【符号の説明】
１…単独処理浄化槽、２…第１流入口、５…沈殿室、６…消毒室、１０…第１流出口、１１…消毒剤容器、１２…第１嫌気処理室、１３…第２嫌気処理室、２０…合併処理化装置、２１…接触曝気室、２２…沈殿槽、２６，２９…移流管。
【図１】
0004230088.tif 000002
【図２】
0004230088.tif 000003
【図３】
0004230088.tif 000004
【図４】
0004230088.tif 000005
【図５】
0004230088.tif 000006
【図６】
0004230088.tif 000007
【図７】
0004230088.tif 000008
【図８】
0004230088.tif 000009